(57)【要約】【課題】ブリードスルー現象が生じることを防止したバックライトモジュールを提供することである。【解決手段】バックライトモジュールは、表示パネルの下にあり、光分散プレート、少なくとも１つの光源、プリズム、光ガイドプレート（ＬＧＰ）、少なくとも１つの光遮蔽シートと反射シートとからなっている。光源は発光し、光分散プレートは、光源と表示パネルとの間に置かれる。プリズムは光分散プレートの表面に置かれ、光ガイドプレートは光源と光分散プレートとの間に置かれる。光ガイドプレートは、光を分散させて光分散プレートに導き、光分散プレートは、さらに光を分散させて表示パネルに当てる。反射シートは光源からの光を上側に向けて反射して、光ガイドプレートに当てる。光遮蔽シートは半透明のシートで、光源と光ガイドプレートとの間に置かれ、光が通る穴が複数あいている。【選択図】図２
2005025979.tif 000002
【特許請求の範囲】
【請求項１】
表示パネルの下にあるバックライトモジュールで、光を供給するための少なくとも１つの光源、光源と表示パネルとの間に置かれ表示パネルに向かって光を分散する光分散プレート、光分散プレートの表面に置かれるプリズム、光源と光分散プレートとの間に置かれ光を分散させて光分散プレートに導く光ガイドプレート、光源と光ガイドプレートとの間に置かれる少なくとも１つの光遮蔽シート、光源の下にあり光ガイドプレートに向けて光を反射する反射シートなどを含むことを特徴とするバックライトモジュール。
【請求項２】
反射シートを包むように反射シートの下にある筐体を含むことを特徴とする請求項１記載のバックライトモジュール。
【請求項３】
バックライトモジュールの動作中に発生する熱を発散するために反射シートに少なくとも１つの開口を有することを特徴とする請求項１記載のバックライトモジュール。
【請求項４】
光源がランプであることを特徴とする請求項１記載のバックライトモジュール。
【請求項５】
ランプが平行に並んでいることを特徴とする請求項４記載のバックライトモジュール。
【請求項６】
光遮蔽シートが円弧の形状であることを特徴とする請求項１記載のバックライトモジュール。
【請求項７】
光遮蔽シートが半透明シートであることを特徴とする請求項６記載のバックライトモジュール。
【請求項８】
光遮蔽シートが複数の光が通る穴を含むことを特徴とする請求項６記載のバックライトモジュール。
【請求項９】
光遮蔽シートが反射シートへ光を反射するための反射膜であり、さらに、反射シートから光ガイドプレートへ光が行くようにしたことを特徴とする請求項８記載のバックライトモジュール。
【請求項１０】
反射シートが金属シートであることを特徴とする請求項９記載のバックライトモジュール。
【発明の詳細な説明】
【０００１】
【発明の属する技術分野】
この発明はバックライトに係わり、特に、ブリードスルー現象を防止するようなバックライトに関する。
【０００２】
【従来の技術】
バックライトユニットは良く知られた技術である。液晶表示装置のキーとなる部品であるバックライトユニットは、デジタルカメラ、ＰＤＡ（携帯個人情報端末）、自動車用ナビゲーションシステム、コンピューター用モニター、フラットパネル式テレビなど広く使われている。特に、表示パネルのすぐ裏に通常設置されるバックライトユニットは、光源（複数の光源の場合もある）と光を分散させる手段とを備えている。分散手段は光を広く分散させてユーザーに快適な後方照明を提供するためである。光はその上にある表示パネルを透過して、表示パネルに高密度に並べられたピクセル電極により制御された様々な画像を形成する。バックライトユニットは、主として２つの種類に分類できる。それはエッジ光源式と直接式である。直接式バックライトユニットは、エッジ光源式バックライトユニットよりも、光が強いので大型の表示パネルとかテレビの表示パネルに適する。
【０００３】図１に、従来技術によるバックライトモジュール１０の断面図を示す。図１に示すように、バックライトモジュール１０は、表示パネル１２の下にあり、少なくとも１つの光源１４と光分散プレート１６とがあり、光分散プレート１６は、光源１４と表示パネル１２との間にある。光ガイドプレート（ＬＧＰ）１８が光源１４と光分散プレート１６との間にある。反射シート２０が光源１４の下にあり、筐体２２に固定されている。
【０００４】光源１４が発光して、反射シートは光源１４からの光を上側に向けて反射して、バックライトモジュール１０の光の使用効率を高めている。光ガイドプレート１８は、光を分散させて光分散プレート１６に導き、光分散プレート１６は、さらに光を分散させて表示パネル１２に当てる。反射シート２０を下面に配した筐体２２は、光分散プレート１６、光ガイドプレート１８、反射シート２０と光源１４とで組み立てられる。さらに、光分散プレート１６は、光分散プレート１６の表面に置かれた少なくとも１つのプリズム２４を含んでおり、表示パネル１２に入る光の強度ムラを減少させるようにしている。プリズム２４の数と置き方はバックライトモジュール１０の仕様によって決められる。
【０００５】通常、光源１４は冷陰極蛍光ランプ（ＣＣＦＬ）で、複数の光源１４は平行に並べられる。技術の進歩により、光源１４の明るさは市場の要求を満たすべく、ますます明るくなっている。しかし、光源１４の明るさが改善されるに伴って、表示パネル１２に、しばしば光の縞が生じるようになった。これが表示パネル１２上のアンバランスを生じており、ブリードスルー現象と呼ばれている。その上、このブリードスルー現象は、バックライトモジュール１０の長時間動作で、表示パネル１２の機能欠陥を生じるおそれがあり、商品競争力に劣ることとなる。
【０００６】
【発明が解決しようとする課題】
この発明の課題は、従来技術の説明で述べたようなブリードスルー現象が生じることを防止したバックライトモジュールを提供することである。
【０００７】
【課題を解決するための手段】
発明の請求項によれば、バックライトモジュールは、表示パネルの下にあり、光分散プレート、少なくとも１つの光源、プリズム、光ガイドプレート（ＬＧＰ）、少なくとも１つの光遮蔽シートと反射シートとからなっている。光源は発光し、光分散プレートは、光源と表示パネルとの間に置かれる。プリズムは光分散プレートの表面に置かれ、光ガイドプレートは光源と光分散プレートとの間に置かれる。光ガイドプレートは、光を分散させて光分散プレートに導き、光分散プレートは、さらに光を分散させて表示パネルに当てる。反射シートは光源からの光を上側に向けて反射して、光ガイドプレートに当てる。光遮蔽シートは半透明のシートで、光源と光ガイドプレートとの間に置かれ、光が通る穴が複数あいている。
【０００８】この発明においては、光源からの光は光遮蔽シートの複数の穴を通って散乱されて、光ガイドプレートへ送り出されるので、一様な散乱光となり、この発明はブリードスルー現象を防止するという利点がある。光遮蔽シートが半透明のシートの場合、バックライトモジュールの製造工程を簡易化するために、光が通る穴はなくても良い。バックライトモジュールに光遮蔽シートを使うことで、表示品質が向上して、商品競争力をつける。
【０００９】
【発明の実施の形態】
図２に、この発明によるバックライトモジュール４０の断面図を示す。図２に示すように、バックライトモジュール４０は、表示パネル４２の下にあり、少なくとも１つの光源４４、表示パネル４２と光源４４との間にある光分散プレート４６、光分散プレート４６の表面にある少なくとも１つのプリズム４８、光源４４と光分散プレート４６との間にある光ガイドプレート（ＬＧＰ）５０、光源４４と光ガイドプレート（ＬＧＰ）５０の間にある少なくとも１つの光遮蔽シート５２、光源４４の下にある反射シート５４と反射シート５４との下にあって反射シート５４を包み込んでいる筐体５６からなっている。
【００１０】図２に示すように、光源４４には、光を供給するために、平行に並んだランプが使われている。この発明の好ましい実施例では、光源４４は冷陰極蛍光ランプ（ＣＣＦＬ）である。反射シート５４は、アルミニウム（Ａｌ）か金属合金からなり、バックライトモジュール４０の動作で発生する熱を発散するため、少なくとも１つの開口５８があって、反射シート５４で反射した光は光遮蔽シート５２と光ガイドプレート５０へ当たる。この発明の他の実施例では、反射シート５４は、重ね合わせた膜からなり、上の膜は金属膜かまたは光透過率が高い他の材料で、下の膜は発泡ポリエチレンテレフタレート（発泡ＰＥＴ）またはポリカーボネート（ＰＣ）からなっている。
【００１１】光ガイドプレート５０は、光源４４から出た光４５を分散して、光分散プレート４６に送り、光分散プレート４６でさらに分散して表示パネル４２に送る。この発明の好ましい実施例では、光遮蔽シート５２と光ガイドプレート５０とは注入モールド法で同時に成形される。勿論、光遮蔽シート５２と光ガイドプレート５０とは、別々に作り接着剤で接合してもよい。光分散プレート４６の表面にあるプリズム４８は、表示パネル４２の光の強さにムラがないようにする。プリズム４８の数と置き方はバックライトモジュール４０の仕様によって決められる。筐体５６には複数の排熱口６０があり、バックライトモジュール４０の動作中に発生する熱を発散させている。
【００１２】図３に、図２で示された光遮蔽シート５２の拡大概略図を示す。図３に示すように、光遮蔽シート５２は円弧の形状で、複数の光源４４を覆うことができ、光ガイドプレート５０は光遮蔽シート５２の円弧の形状に対応した曲面をもっている。さらに、光遮蔽シート５２は複数の光が通る穴６２を含み、光源４４からの光４５、または反射シート５４で反射した光４５を散乱して、図３の中で、矢印で示すように、光ガイドプレート５０へ導く。通常、光遮蔽シート５２は、半透明シートまたは金属シートからなる。光遮蔽シート５２が半透明シートからなる場合、複数の光が通る穴６２は省略することができる。光遮蔽シート５２が金属シートからなる場合、光遮蔽シート５２は光源４４からの光４５を反射シート５４に送る役割をする。反射シート５４で上側へ反射された光４５は、図２の中で、矢印で示すように、光ガイドプレート５０へ送られる。
【００１３】前の従来技術の章で述べたように、技術の進歩により、市場の要求を満たすべく、光源の明るさがますます明るく改善されるに伴って、バックライトモジュールの動作中、表示パネル１２に、しばしばブリードスルー現象と呼ばれる光の縞が生じることがあった。これは、光源からの光の明るさのアンバランスによるものである。この発明における光遮蔽シート５２で、ブリードスルー現象を防止できることが明らかになった。従来技術と比べて、この発明での光源４４からの光４５は、光遮蔽シート５２の光が通る穴６２を通り、光ガイドプレート５０へ導かれ、一様な光となるので、ブリードスルー現象を防止することができる。光遮蔽シート５２が半透明の場合には、バックライトモジュール４０の生産工程を簡素化するために、光が通る穴６２を省略してもよい。バックライトモジュール４０に光遮蔽シート５２を使うことで、表示品質が向上して、商品競争力をつける。
【００１４】当業者のなし得る修正、もしくは変更であって、この発明の精神の下においてなされ、この発明に対して均等の効果を有するものは、いずれもこの発明の特許請求の範囲に属するものである。
【００１５】
【発明の効果】
この発明においては、光源からの光は光遮蔽シートの複数の穴を通って散乱されて、光ガイドプレートへ送り出されるので、一様な散乱光となり、この発明はブリードスルー現象を防止するという利点がある。光遮蔽シートが半透明のシートの場合、バックライトモジュールの製造工程を簡易化するために、光が通る穴はなくても良い。バックライトモジュールに光遮蔽シートを使うことで、表示品質が向上して、商品競争力をつける。
【図面の簡単な説明】
【図１】従来技術によるバックライトモジュールの断面図である。
【図２】この発明によるバックライトモジュールの断面図である。
【図３】図２での光遮蔽シート５２の拡大概略図である。
【符号の説明】
１０、４０、バックライトモジュール
１２、４２、表示パネル
１４、４４、光源
１６、４６、光分散プレート
１８、５０、光ガイドプレート（ＬＧＰ）
２０、５４、反射シート
２２、５６、筐体
２４、４８、プリズム
４５、光
５２、光遮蔽シート
５８、開口
６０、排熱口
６２、光が通る穴
【図１】
2005025979.tif 000003
【図２】
2005025979.tif 000004
【図３】
2005025979.tif 000005